(57)【要約】【課題】  容易に着脱可能なガードフェンス支持部材において、コンクリートを充填したＨ形鋼のようなフランジのない部材にもガードフェンスを設置できるようにする【解決手段】  バリケードの設置に用いるガードフェンス支持部材１であって、基礎部をなすＨ形鋼２の上に載せる平板部５と、その平板部５に固定され、ガードフェンス８を支持する支持部である支持金物７を備える。  また、そのガードフェンス支持部材１であって、平板部５から、基礎部をなすＨ形鋼２の両側方に突出する側板部６と、その側板部６の一方に設けられ、基礎部をなすＨ形鋼２の一側面に固定する固定部であるボルト９、ナット１２を備える。【選択図】図１
2005048431.tif 000002
【特許請求の範囲】
【請求項１】
鋼材等の基礎部上に載せる平板部と、
前記平板部に固定され、ガードフェンスを支持する支持部とを備えることを特徴とするガードフェンス支持部材。
【請求項２】
前記平板部から前記基礎部の両側方に突出する側板部と、
前記側板部の一方に設けられ、前記基礎部の一側面に固定する固定部とを備えることを特徴とする請求項１に記載のガードフェンス支持部材。
【請求項３】
前記支持部は前記固定部側に設けられていることを特徴とする請求項１または請求項２に記載のガードフェンス支持部材。
【発明の詳細な説明】
【技術分野】
【０００１】
本発明は、ガードフェンスの支持部材に関する。
【背景技術】
【０００２】
通常、工事現場等の作業帯の周囲にはバリケードを設置するが、車道に面した作業帯では、Ｈ形鋼などの基礎部に単管を固定したフェンスに、ガードフェンスを取り付けたバリケードを設置するのが一般的である。
従来、Ｈ形鋼にガードフェンスを固定するために、支持部をＨ形鋼に溶接している。また、Ｈ形鋼のフランジに取り付けるクランプ型の支持部材も提案されている（例えば特許文献１）。
【特許文献１】実開昭６２−１２０５１３号公報
【発明の開示】
【発明が解決しようとする課題】
【０００３】
支持部材を溶接した場合、作業帯の形状が変わりバリケードを移動するたびに金物の溶接、溶断を行わなければならなかった。
また、Ｈ形鋼にコンクリートを充填した場合、Ｈ形鋼のフランジに取り付けるクランプ型の支持部材は使用できない。
【０００４】
本発明の課題は、容易に着脱可能なガードフェンス支持部材において、通常のＨ形鋼に加え、コンクリートを充填したＨ形鋼のようなフランジのない部材にも、ガードフェンスを設置できるようにすることである。
【課題を解決するための手段】
【０００５】
以上の課題を解決するため、請求項１に記載の発明は、例えば、図１に示すように、基礎部２の上に載せる平板部５と、その平板部５に固定され、ガードフェンス８を支持する支持部７を備えていることを特徴とする。
【０００６】
このように、支持部７を取り付けた平板部５を、基礎部２の上に載せて、その支持部７にガードフェンス８の脚部を挿入する等により、基礎部２上にガードフェンス８を設置することができる。
【０００７】
請求項２に記載の発明は、請求項１に記載のガードフェンス支持部材であって、例えば、図１に示すように、平板部５から基礎部２の両側方に突出する側板部６と、側板部６の一方に設けられ、基礎部２の一側面に固定する固定部である、ボルト９、ナット１２を備えることを特徴とする。
【０００８】
このように、平板部５から突出した側板部６が、ボルト９、ナット１２の締め付けによって基礎部２の両側方を挟み込むことによって、ガードフェンス支持部材１を、基礎部２に固定することができる。
【０００９】
請求項３に記載の発明は、請求項１または請求項２に記載のガードフェンス支持部材であって、例えば、図１に示すように、ガードフェンス８を支持する支持部７が、ボルト９、ナット１２からなる固定部と同じ側に設けられていることを特徴とする。
【発明の効果】
【００１０】
請求項１に記載の発明によれば、平板部を基礎部上に載せる構造としたので、通常のＨ形鋼は勿論のこと、これまでクランプ型の支持部材が使えなかった、コンクリートを充填したＨ形鋼のようなフランジのない基礎部でも容易にガードフェンスを設置できる。
【００１１】
請求項２に記載の発明によれば、平板部から基礎部の両側方に突出した側板部と、側板部に設けられた固定部により、ガードフェンス支持部材を基礎部に固定できる。
【００１２】
請求項３に記載の発明によれば、固定部と支持部が同じ側に設けられていることで、ガードフェンス８の設置や撤去の作業を、基礎部をなすＨ形鋼２で仕切られた作業帯の内側で作業できるようになるので、車道に面した工事現場等でも安全に作業をすることができる。
【発明を実施するための最良の形態】
【００１３】
以下、図を参照して本発明を実施するための最良の形態を詳細に説明する。
図１から図４は、本発明を適用した一実施の形態である、フェンス固定金物の概略構成を表す図である。
【００１４】
図１、図２に示すようにガードフェンス支持部材１は、基礎部をなすＨ形鋼２上に載せる平板部５と、その平板部５に固定され、ガードフェンス８の脚部を支持する支持部である支持金物７と、基礎部をなすＨ形鋼２に取り付けるための固定部、即ちボルト９、ナット１２からなる。
工事現場等の作業帯の周囲に配した基礎部をなすＨ形鋼２上に、ガードフェンス支持部材１を所定の間隔をおいて固定し、その隣り合うガードフェンス支持部材１の支持金物７に、ガードフェンス８の脚部を挿し込みガードフェンス８を設置するものである。
【００１５】
図２から図４に示すように、ガードフェンス支持部材１は、平板部５の両側に側板部６を有する。
平板部５の一側部には側板部６にかけて、支持金物７が２本取り付けできる幅の切欠部１４が形成されている。
また、平板部５上の切欠部１４の末端と反対側の側板部６との距離は、ガードフェンス支持部材１を設置しようとする基礎部の幅よりも長い。
そして、この切欠部１４に筒状の支持金物７が、平板部５と垂直になるように２本並べて溶接されている。
また、その切欠部１４側の側板部６には、ガードフェンス支持部材１を、基礎部をなすＨ形鋼２に固定するためのボルト９を通す穴１３が、切欠部１４の両脇の側板部６それぞれに開けられており、側板部６の外側からワッシャ１０を挟んでボルト９が挿入されている。
このボルト９には、側板部６の内側からワッシャ１１を挟んでナット１２が取り付けられている。
【００１６】
次に図１と図２を用いて、以上のように構成されるフェンス支持部材１の使用方法について説明する。
図１において、基礎部をなすＨ形鋼２には、移動しにくくするための錘として、その空間にコンクリート３が充填されており、さらに単管４が固定してある。
まず、ガードフェンス支持部材１を、その平板部５を側板部６の突出する方向を下にして基礎部に被せ、ボルト９、ナット１２を仮締めする。
そして、ガードフェンス支持部材１の支持金物７に、ガードフェンス８の脚部を挿入し、隣り合うガードフェンス支持部材１の間隔を調整した後、ボルト９、ナット１２を増し締めして基礎部をなすＨ形鋼２に固定する。
【００１７】
また、ガードフェンス８を支持する支持金物７と、ボルト９、ナット１２からなる固定部を同じ側に設けることによって、設置や撤去の際の作業を、作業帯の内側で行うことができ安全である。
【００１８】
なお、以上の実施の形態においては、支持金物７にガードフェンス８の脚部を挿入する構造としたが、本発明はこれに限定されるものではなく、ガードフェンス８の脚部に支持金物７を挿入する構造にしても良い。
また、支持金物７の取り付け位置や固定部の機構等も任意であり、さらに、基礎部もＨ形鋼以外の鋼材やコンクリートブロック等でも良く、その他、具体的な細部構造等についても適宜に変更可能であることは勿論である。
【図面の簡単な説明】
【００１９】
【図１】本発明を適用した一実施の形態の構成を示す、ガードフェンス支持部材の設置時の断面図である。
【図２】ガードフェンス支持部材の設置時の上面図である。
【図３】ガードフェンス支持部材の正面図である。
【図４】ガードフェンス支持部材の側面図である。
【符号の説明】
【００２０】
１  ガードフェンス支持部材
２  Ｈ形鋼
３  コンクリート
４  単管
５  平面部
６  側板部
７  支持金物
８  ガードフェンス
９  ボルト
１２  ナット
１４  切欠部
【図１】
2005048431.tif 000003
【図２】
2005048431.tif 000004
【図３】
2005048431.tif 000005
【図４】
2005048431.tif 000006